(57)【要約】【課題】選択チャネルが切り替わったことをモニタに確実に認識させる。【解決手段】入力チャネルの同期信号（Ｈｓ１〜Ｈｓ４，Ｖｓ１〜Ｖｓ４）の極性にかかわらず、第１チャネルの同期信号（Ｓｈ１，Ｓｖ１）の極性が正・正になり、第２チャネルの同期信号（Ｓｈ２，Ｓｖ２）の極性が正・負になり、第３チャネルの同期信号（Ｓｈ３，Ｓｖ３）の極性が負・正になり、第４チャネルの同期信号（Ｓｈ４，Ｓｖ４）の極性が負・負になるように、同期信号の極性を変換する。【効果】各チャネルの同期信号（Ｈｓ１〜Ｈｓ４，Ｖｓ１〜Ｖｓ４）の周波数や極性などが全く同一であっても、モニタに入力される同期信号（Ｓｈ１〜Ｓｈ４，Ｓｖ１〜Ｓｖ４）の極性が各チャネルで異なることになり、チャネルを切り替えたことをモニタに確実に認識させることが出来る。【選択図】図１
2005348063.tif 000002
【特許請求の範囲】
【請求項１】
第１〜第４チャネルのビデオ信号（Ｖｉ１〜Ｖｉ４）のいずれかを選択するビデオ信号選択器（２１）と、第１チャネルの水平同期信号（Ｈｓ１）に同期し且つ極性が正の第１水平同期信号（Ｓｈ１）を出力する第１水平同期信号変換回路（１ｈ）と、第２チャネルの水平同期信号（Ｈｓ２）に同期し且つ極性が正の第２水平同期信号（Ｓｈ２）を出力する第２水平同期信号変換回路（２ｈ）と、第３チャネルの水平同期信号（Ｈｓ３）に同期し且つ極性が負の第３水平同期信号（Ｓｈ３）を出力する第３水平同期信号変換回路（３ｈ）と、第４チャネルの水平同期信号（Ｈｓ４）に同期し且つ極性が負の第４水平同期信号（Ｓｈ４）を出力する第４水平同期信号変換回路（４ｈ）と、前記第１〜第４水平同期信号（Ｓｈ１〜Ｓｈ４）のいずれかを選択する水平同期信号選択器（２２）と、第１チャネルの垂直同期信号（Ｖｓ１）に同期し且つ極性が正の第１垂直同期信号（Ｓｖ１）を出力する第１垂直同期信号変換回路（１ｖ）と、第２チャネルの垂直同期信号（Ｖｓ２）に同期し且つ極性が負の第２垂直同期信号（Ｓｖ２）を出力する第２垂直同期信号変換回路（２ｖ）と、第３チャネルの垂直同期信号（Ｖｓ３）に同期し且つ極性が正の第３垂直同期信号（Ｓｖ３）を出力する第３垂直同期信号変換回路（３ｖ）と、第４チャネルの垂直同期信号（Ｖｓ４）に同期し且つ極性が負の第４垂直同期信号（Ｓｖ４）を出力する第４垂直同期信号変換回路（４ｖ）と、前記第１〜第４垂直同期信号（Ｓｖ１〜Ｓｖ４）のいずれかを選択する垂直同期信号選択器（２３）とを具備したことを特徴とするビデオ信号切替器（１００）。
【請求項２】
請求項１に記載のビデオ信号切替器において、４つのチャネルのうちの１つ又は２つに対応する構成を省略したことを特徴とするビデオ信号切替器。
【発明の詳細な説明】
【技術分野】
【０００１】
本発明は、ビデオ信号切替器に関し、さらに詳しくは、２チャネル〜４チャネルの入力ビデオ信号のうちから一つのチャネルを選択してディスプレイモニタ装置へ出力しうると共に選択チャネルが切り替わったことをディスプレイモニタ装置に確実に認識させることが出来るビデオ信号切替器に関する。
【背景技術】
【０００２】
従来、複数のパソコンの１つを選択してディスプレイモニタ装置に接続するディスプレイ切替器が市販されている。
また、水平同期信号周波数や垂直同期信号周波数や同期信号の極性などの信号情報に対応して画面サイズなどの表示パラメータを記憶しておき、入力された信号情報に対応して記憶していた表示パラメータを読み出し、その表示パラメータを用いて画面を表示するディスプレイモニタ装置が知られている（例えば、特許文献１参照。）。
【特許文献１】特開平７−２２２０２５号公報
【発明の開示】
【発明が解決しようとする課題】
【０００３】
上記従来のディスプレイ切替器とディスプレイモニタ装置を組み合わせた場合、複数のパソコンが出力する信号の例えば水平同期信号周波数がそれぞれ異なっておれば、ディスプレイ切替器でパソコンを切り替えた時にディスプレイモニタ装置で新たなパソコンに対応した表示パラメータを読み出し、その表示パラメータを用いて画面を表示することが出来る。
しかし、複数のパソコンが出力する水平同期信号周波数などの信号情報が全く同一であった場合、ディスプレイ切替器でパソコンを切り替えた時にディスプレイモニタ装置ではそれが判らず、前のパソコンに対応した表示パラメータのままで画面を表示することになる。
ところが、水平同期信号周波数などの信号情報が全く同一であっても、ビデオ信号と同期信号のタイミングなどが微妙に異なっている場合があり、このような場合には、ディスプレイ切替器でパソコンを切り替えた時に表示が乱れてしまう問題点があった。
そこで、本発明の目的は、２チャネル〜４チャネルの入力ビデオ信号のうちから一つのチャネルを選択してディスプレイモニタ装置へ出力しうると共に選択チャネルが切り替わったことをディスプレイモニタ装置に確実に認識させることが出来るビデオ信号切替器を提供することにある。
【課題を解決するための手段】
【０００４】
第１の観点では、本発明は、第１〜第４チャネルのビデオ信号（Ｖｉ１〜Ｖｉ４）のいずれかを選択するビデオ信号選択器（２１）と、第１チャネルの水平同期信号（Ｈｓ１）に同期し且つ極性が正の第１水平同期信号（Ｓｈ１）を出力する第１水平同期信号変換回路（１ｈ）と、第２チャネルの水平同期信号（Ｈｓ２）に同期し且つ極性が正の第２水平同期信号（Ｓｈ２）を出力する第２水平同期信号変換回路（２ｈ）と、第３チャネルの水平同期信号（Ｈｓ３）に同期し且つ極性が負の第３水平同期信号（Ｓｈ３）を出力する第３水平同期信号変換回路（３ｈ）と、第４チャネルの水平同期信号（Ｈｓ４）に同期し且つ極性が負の第４水平同期信号（Ｓｈ４）を出力する第４水平同期信号変換回路（４ｈ）と、前記第１〜第４水平同期信号（Ｓｈ１〜Ｓｈ４）のいずれかを選択する水平同期信号選択器（２２）と、第１チャネルの垂直同期信号（Ｖｓ１）に同期し且つ極性が正の第１垂直同期信号（Ｓｖ１）を出力する第１垂直同期信号変換回路（１ｖ）と、第２チャネルの垂直同期信号（Ｖｓ２）に同期し且つ極性が負の第２垂直同期信号（Ｓｖ２）を出力する第２垂直同期信号変換回路（２ｖ）と、第３チャネルの垂直同期信号（Ｖｓ３）に同期し且つ極性が正の第３垂直同期信号（Ｓｖ３）を出力する第３垂直同期信号変換回路（３ｖ）と、第４チャネルの垂直同期信号（Ｖｓ４）に同期し且つ極性が負の第４垂直同期信号（Ｓｖ４）を出力する第４垂直同期信号変換回路（４ｖ）と、前記第１〜第４垂直同期信号（Ｓｖ１〜Ｓｖ４）のいずれかを選択する垂直同期信号選択器（２３）とを具備したことを特徴とするビデオ信号切替器（１００）を提供する。
【０００５】
上記第１の観点によるビデオ信号切替器では、第１チャネルの同期信号（Ｈｓ１，Ｖｓ１）の極性にかかわらず、第１水平同期信号（Ｓｈ１）・第１垂直同期信号（Ｓｖ１）の極性が正・正になる。また、第２チャネルの同期信号（Ｈｓ２，Ｖｓ２）の極性にかかわらず、第２水平同期信号（Ｓｈ２）・第２垂直同期信号（Ｓｖ２）の極性が正・負になる。また、第３チャネルの同期信号（Ｈｓ３，Ｖｓ３）の極性にかかわらず、第３水平同期信号（Ｓｈ３）・第３垂直同期信号（Ｓｖ３）の極性が負・正になる。また、第４チャネルの同期信号（Ｈｓ４，Ｖｓ４）の極性にかかわらず、第４水平同期信号（Ｓｈ４）・第４垂直同期信号（Ｓｖ４）の極性が負・負になる。従って、第１〜第４チャネルの同期信号（Ｈｓ１〜Ｈｓ４，Ｖｓ１〜Ｖｓ４）の周波数や極性などの信号情報が全く同一であっても、ディスプレイモニタ装置に入力される同期信号（Ｓｈ１〜Ｓｈ４，Ｓｖ１〜Ｓｖ４）の極性が各チャネルで異なることになり、ビデオ信号切替器（１００）でチャネルを切り替えたことをディスプレイモニタ装置に確実に認識させることが出来る。この結果、ディスプレイモニタ装置では、新たなチャネルに対応した表示パラメータを読み出し、その表示パラメータを用いて画面を表示するので、ビデオ信号切替器（１００）でチャネルを切り替えた時に表示が乱れてしまうことを防止できる。
なお、水平同期信号と垂直同期信号の極性の重複しない組合せが正・正，正・負，負・正，負・負の４通りなので、４チャネルの切替えとなる。チャネル番号と極性の対応は便宜的なものであり、入替可能である。
【０００６】
第２の観点では、本発明は、上記構成のビデオ信号切替器において、４つのチャネルのうちの１つ又は２つに対応する構成を省略したことを特徴とするビデオ信号切替器を提供する。
上記第２の観点によるビデオ信号切替器では、２チャネルの切替え又は３チャネルの切替えとなる。２チャネルの切替えでは、正・正，正・負、又は、正・正，負・正、又は、正・正，負・負、又は、正・負，負・正、又は、正・負，負・負、又は、負・正，負・負の組合せのいずれかを使用すればよい。３チャネルの切替えでは、正・正，正・負，負・正、又は、正・正，正・負，負・負、又は、正・正，負・正，負・負、又は、正・負，負・正，負・負の組合せのいずれかを使用すればよい。
【発明の効果】
【０００７】
本発明のビデオ信号切替器によれば、２チャネル〜４チャネルの入力ビデオ信号のうちから一つのチャネルを選択してディスプレイモニタ装置へ出力しうると共に選択チャネルが切り替わったことをディスプレイモニタ装置に確実に認識させることが出来る。
【発明を実施するための最良の形態】
【０００８】
以下、図に示す実施例により本発明をさらに詳細に説明する。なお、これにより本発明が限定されるものではない。
【実施例１】
【０００９】
図１は、実施例１に係るビデオ信号切替器１００を示すブロック図である。
このビデオ信号切替器１００は、第１チャネル（図４のＰＣ１）の第１ビデオ信号Ｖｉ１，第１チャネル水平同期信号Ｈｓ１および第１チャネル垂直同期信号Ｖｓ１を入力する第１入力コネクタ１１と、第２チャネル（図４のＰＣ２）の第２ビデオ信号Ｖｉ２，第２チャネル水平同期信号Ｈｓ２および第２チャネル垂直同期信号Ｖｓ２を入力する第２入力コネクタ１２と、第３チャネル（図４のＰＣ３）の第３ビデオ信号Ｖｉ３，第３チャネル水平同期信号Ｈｓ３および第３チャネル垂直同期信号Ｖｓ３を入力する第３入力コネクタ１３と、第４チャネル（図４のＰＣ４）の第４ビデオ信号Ｖｉ４，第４チャネル水平同期信号Ｈｓ４および第４チャネル垂直同期信号Ｖｓ４を入力する第４入力コネクタ１４と、切替指示用コンピュータ（図４のＰＣ０）と通信するためのＲＳ２３２Ｃコネクタ４１と、操作者が手動でチャネルを選択するためのディップスイッチ４２と、ディスプレイモニタ装置（図４のＬＣＤ）へビデオ信号Ｖｉｏ，水平同期信号Ｈｓｏおよび垂直同期信号Ｖｓｏを出力する出力コネクタ３０とを具備している。
【００１０】
また、ビデオ信号切替器１００は、第１ビデオ信号Ｖｉ１〜第４ビデオ信号Ｖｉ４のいずれかを選択し、ビデオ信号Ｖｉｏとするビデオ信号選択器２１を具備している。
【００１１】
また、ビデオ信号切替器１００は、第１チャネル水平同期信号Ｈｓ１に同期し且つ極性が正の第１水平同期信号Ｓｈ１を出力する第１水平同期信号変換回路１ｈと、第２チャネル水平同期信号Ｈｓ２に同期し且つ極性が正の第２水平同期信号Ｓｈ２を出力する第２水平同期信号変換回路２ｈと、第３チャネル水平同期信号Ｈｓ３に同期し且つ極性が負の第３水平同期信号Ｓｈ３を出力する第３水平同期信号変換回路３ｈと、第４チャネル水平同期信号Ｈｓ４に同期し且つ極性が負の第４水平同期信号Ｓｈ４を出力する第４水平同期信号変換回路４ｈと、第１水平同期信号Ｓｈ１〜第４水平同期信号Ｓｈ４のいずれかを選択し、水平同期信号Ｈｓｏとする水平同期信号選択器２２とを具備している。
【００１２】
また、ビデオ信号切替器１００は、第１チャネル垂直同期信号Ｖｓ１に同期し且つ極性が正の第１垂直同期信号Ｓｖ１を出力する第１垂直同期信号変換回路１ｖと、第２チャネル垂直同期信号Ｖｓ２に同期し且つ極性が負の第２垂直同期信号Ｓｖ２を出力する第２垂直同期信号変換回路２ｖと、第３チャネル垂直同期信号Ｖｓ３に同期し且つ極性が正の第３垂直同期信号Ｓｖ３を出力する第３垂直同期信号変換回路３ｖと、第４チャネル垂直同期信号Ｖｓ４に同期し且つ極性が負の第４垂直同期信号Ｓｖ４を出力する第４垂直同期信号変換回路４ｖと、第１垂直同期信号Ｓｖ１〜第４垂直同期信号Ｓｖ４のいずれかを選択し、垂直同期信号Ｖｓｏとする垂直同期信号選択器２３とを具備している。
【００１３】
なお、ビデオ信号選択器２１と水平同期信号選択器２２と垂直同期信号選択器２３とは、連動して切り替わり、ビデオ信号選択器２１が第ｋ（＝１，２，３，４）ビデオ信号Ｖｉｋを選択した時は、水平同期信号選択器２２は第ｋ水平同期信号Ｓｈｋを選択し、垂直同期信号選択器２３は第ｋ垂直同期信号Ｖｈｋを選択する。
【００１４】
さらに、ビデオ信号切替器１００は、第１ビデオ信号Ｖｉ１〜第４ビデオ信号Ｖｉ４の有無を監視すると共に、ビデオ信号選択器２１と水平同期信号選択器２２と垂直同期信号選択器２３の切替制御を行うマイクロプロセッサ４０を具備している。
【００１５】
図２に示すように、第１チャネルの同期信号Ｈｓ１，Ｖｓ１の極性にかかわらず、第１水平同期信号Ｓｈ１の極性は正、第１垂直同期信号Ｓｖ１の極性は正である。また、第２チャネルの同期信号Ｈｓ２，Ｖｓ２の極性にかかわらず、第２水平同期信号Ｓｈ２の極性は正、第２垂直同期信号Ｓｖ２の極性は負である。また、第３チャネルの同期信号Ｈｓ３，Ｖｓ３の極性にかかわらず、第３水平同期信号Ｓｈ３の極性は負、第３垂直同期信号Ｓｖ３の極性は正である。また、第４チャネルの同期信号Ｈｓ４，Ｖｓ４の極性にかかわらず、第４水平同期信号Ｓｈ４の極性は負、第４垂直同期信号Ｓｖ４の極性は負である。
【００１６】
図３は、マイクロプロセッサ４０によるビデオ信号切替処理を示すフロー図である。
ステップＳ１では、第１ビデオ信号Ｖｉ１〜第４ビデオ信号Ｖｉ４の有無を判定し、いずれかのビデオ信号の入力が有ればステップＳ２へ進み、いずれのビデオ信号の入力も無ければステップＳ３へ進む。
【００１７】
ステップＳ２では、入力が有るビデオ信号のうちでチャネル番号が最も小さいビデオ信号を選択するようにビデオ信号選択器２１を切り替える。また、それに連動して、水平同期信号選択器２２と垂直同期信号選択器２３とを切り替える。そして、ステップＳ４へ進む。
【００１８】
ステップＳ３では、第１チャネルのビデオ信号を選択するようにビデオ信号選択器２１を切り替える。また、それに連動して、水平同期信号選択器２２と垂直同期信号選択器２３とを切り替える。そして、ステップＳ４へ進む。
【００１９】
ステップＳ４では、ディップスイッチ４２の値を読み込み、値が１〜４のいずれかならテップＳ５へ進み、値が１〜４以外ならステップＳ６へ進む。
【００２０】
ステップＳ５では、ディップスイッチ４２の値に一致するチャネル番号のビデオ信号を選択するようにビデオ信号選択器２１を切り替える。また、それに連動して、水平同期信号選択器２２と垂直同期信号選択器２３とを切り替える。そして、ステップＳ４に戻る。
【００２１】
ステップＳ６では、切替指示用コンピュータ（図４のＰＣ０）からチャネル切替えの指示を受け取ったかチェックし、受け取っていなければステップＳ４に戻り、受け取ったならばステップＳ７へ進む。
【００２２】
ステップＳ７では、指示されたチャネル番号のビデオ信号を選択するようにビデオ信号選択器２１を切り替える。また、それに連動して、水平同期信号選択器２２と垂直同期信号選択器２３とを切り替える。
ステップＳ８では、選択したチャネルのビデオ信号の有無を判定し、ビデオ信号の入力が有ればステップＳ９へ進み、ビデオ信号の入力が無ければステップＳ１０へ進む。
【００２３】
ステップＳ９では、選択したチャネルのチャネル番号を切替指示用コンピュータ（図４のＰＣ０）に返信する。そして、ステップＳ４に戻る。
【００２４】
ステップＳ１０では、選択したチャネルにビデオ信号が無い旨を切替指示用コンピュータ（図４のＰＣ０）に返信する。そして、ステップＳ４に戻る。
【００２５】
図４は、ビデオ信号切替器１００の使用態様を示すブロック図である。
ビデオ信号切替器１００の入力コネクタ１１〜１４には、それぞれ表示出力用コンピュータＰＣ１〜ＰＣ４を接続し、出力コネクタ３０にはディスプレイモニタ装置ＬＣＤを接続し、ＲＳ２３２Ｃコネクタ４１には切替指示用コンピュータＰＣ０を接続する。
【００２６】
ディスプレイモニタ装置ＬＣＤは、例えば入力された水平同期信号の周波数，水平同期信号の極性，垂直同期信号の周波数，垂直同期信号の極性などの信号情報に対応して、水平画面サイズ，水平画面位置，垂直画面サイズ，垂直画面位置，リフレッシュレートなどの表示パラメータをプリセット可能な液晶ディスプレイモニタ装置やＣＲＴディスプレイモニタ装置である。
【００２７】
実施例１のビデオ信号切替器１００によれば、４チャネルの入力ビデオ信号のうちから一つのチャネルを選択してディスプレイモニタ装置へ出力しうると共に選択チャネルが切り替わったことをディスプレイモニタ装置に確実に認識させることが出来る。
【実施例２】
【００２８】
実施例１のビデオ信号切替器１００の機能を縮小し、２チャネルの切替え又は３チャネルの切替えを行うようにしてもよい。
【産業上の利用可能性】
【００２９】
本発明のビデオ信号切替器は、複数のビデオ信号出力装置で１つのディスプレイモニタ装置を共用する場合に利用できる。
【図面の簡単な説明】
【００３０】
【図１】実施例１に係るビデオ信号切替器を示す構成図である。
【図２】入力された各チャネルの同期信号の極性と変換された後の同期信号の極性の対応を示す図表である。
【図３】実施例１に係るビデオ信号切替器の動作を示すフロー図である。
【図４】実施例１に係るビデオ信号切替器の使用態様を示すブロック図である。
【符号の説明】
【００３１】
１ｈ〜４ｈ          第１〜第４水平同期信号変換回路
１ｖ〜４ｖ          第１〜第４垂直同期信号変換回路
Ｓｈ１〜Ｓｈ４      第１〜第４水平同期信号
Ｓｖ１〜Ｓｖ４      第１〜第４垂直同期信号
２１                ビデオ信号選択器
２２                水平同期信号選択器
２３                垂直同期信号選択器
４０                マイクロプロセッサ
１００              ビデオ信号切替器
ＬＣＤ              ディスプレイモニタ装置
ＰＣ０              切替指示用コンピュータ
ＰＣ１〜ＰＣ４      表示出力用コンピュータ
【図１】
2005348063.tif 000003
【図２】
2005348063.tif 000004
【図３】
2005348063.tif 000005
【図４】
2005348063.tif 000006